(57)【要約】【課題】  棚板の厚さに対応して棚板を安定的に支持する。棚板の厚さに対応して棚板の取付後に支持の後調整を行う。【解決手段】  壁面に取付けられ棚板の基端部を挟込むコ字形の棚受具を備えた棚取付装置において、棚受具は棚板の下面に当接する下板に上下に昇降する昇降板と下板の下方から昇降板の昇降を操作する昇降調整具とが設けられている。【選択図】  図１
2006326060.tif 000002
【特許請求の範囲】
【請求項１】
壁面に取付けられ棚板の基端部を挟込むコ字形の棚受具を備えた棚取付装置において、棚受具は棚板の下面に当接する下板に上下に昇降する昇降板と下板の下方から昇降板の昇降を操作する昇降調整具とが設けられていることを特徴とする棚取付装置。
【請求項２】
請求項１の棚取付装置において、昇降板は棚板とのスリップを防止する滑止構造が設けられていることを特徴とする棚取付装置。
【請求項３】
請求項１または２の棚取付装置において、昇降調整具は独立して操作される複数個が棚板の奥行き方向に配置されていることを特徴とする棚取付装置。
【請求項４】
請求項１〜３のいずれかの棚取付装置において、棚受具は棚板の端面に当接する背板に棚板をネジ止めするためのネジ孔が穿孔されていることを特徴とする棚取付装置。
【請求項５】
請求項１〜４のいずれかの棚取付装置において、棚受具は壁面に取付けられた取付座に係合構造で取付けられることを特徴とする棚取付装置。
【発明の詳細な説明】
【技術分野】
【０００１】
本発明は、棚板を片持ち式で壁面に取付ける棚取付装置に係る技術分野に属する。
【背景技術】
【０００２】
最近、棚取付装置としては、壁面の表面を大きく改装せずに棚板を取付けるために、棚板の基端部のみを支持する片持ち式からなるものが多用されている。片持ち式の棚取付装置は、棚板の上面に当接する上板と棚板の下面に当接する下板と棚板の端面に当接する背板とにより棚板の基端部を挟込むコ字形の棚受具を備えている。コ字形の棚受具については、棚板の挟込み幅が固定されてしまうため、棚板の挟込み幅と棚板の厚さとの誤差から、取付けられた棚板ががた付く等して安定的に支持されないという不具合がある。このため、棚板の厚さへの対応機能を有した棚取付装置の開発が切望されている。
【０００３】
従来、棚板の厚さへの対応機能を有した棚取付装置としては、例えば、（特許文献１）に記載のものが知られている。
（特許文献１）には、棚受具を背板から上下に２分割してネジ、長孔で連結した棚取付装置が記載されている。
（特許文献１）に係る棚取付装置は、ネジ、長孔により棚受具の上板、下板の連結の間隔を調整することで、棚受具における棚板の挟込み幅を調整することができるようになっている。
【０００４】
また、（特許文献２）には、棚受具の下板に下面からの突出量を調整する調整ボルトを設けた棚取付装置が記載されている。
（特許文献２）に係る棚取付装置は、調整ボルトの回動により棚受具の上板と調整ボルトの頭部との間隔を調整することで、棚受具における棚板の挟込み幅を調整することができるようになっている。
【０００５】
【特許文献１】特開２００４−１８７９６８号公報
【特許文献２】特開２００４−１７３８７１号公報
【発明の開示】
【発明が解決しようとする課題】
【０００６】
（特許文献１）に係る棚取付装置では、分割された棚受具を緩みやすいネジ、長孔で連結しているため、棚受具における棚板の挟込み幅が不測に広がりやすく、棚板の支持の安定性が確実には得られないという問題点がある。（特許文献２）に係る棚取付装置では、棚受具の上板とスポット的な調整ボルトの頭部との間隔の調整で棚受具における棚板の挟込み幅を調整するため、棚板の支持角度の微調整程度にしか実用性がなく、棚板の厚さへの対応機能を充分に有しているとはいえないという問題点がある。また、（特許文献１）及び（特許文献２）に係る棚取付装置では、共通して、棚受具に棚板を差込む前に棚受具における棚板の挟込み幅を調整しておかなければならないため、棚板の支持が不安定である場合に取外工事を実施してから再度取付工事を実施しなければならない等、棚板の取付後に支持の後調整を行うことができないという問題点がある。
【０００７】
本発明は、このような問題点を考慮してなされたもので、棚板の厚さに対応して、棚板を安定的に支持することができるとともに、棚板の取付後に支持の後調整を行うことのできる棚取付装置を提供することを課題とする。
【課題を解決するための手段】
【０００８】
前述の課題を解決するため、本発明に係る棚取付装置は、特許請求の範囲の各請求項に記載の手段を採用する。
【０００９】
即ち、請求項１では、壁面に取付けられ棚板の基端部を挟込むコ字形の棚受具を備えた棚取付装置において、棚受具は棚板の下面に当接する下板に上下に昇降する昇降板と下板の下方から昇降板の昇降を操作する昇降調整具とが設けられていることを特徴とする。
【００１０】
この手段では、昇降調整具によって昇降板を棚板の下面に押圧させることで、棚受具における棚板の挟込み幅の不測の広がりを防止する。また、昇降調整具を下板の下方から操作できることから、棚板の取付後に棚受具における棚板の挟込み幅を調整することができる。
【００１１】
また、請求項２では、請求項１の棚取付装置において、昇降板は棚板とのスリップを防止する滑止構造が設けられていることを特徴とする。
【００１２】
この手段では、滑止構造によって昇降板、棚板の間のスリップが防止される。
【００１３】
また、請求項３では、請求項１または２の棚取付装置において、昇降調整具は独立して操作される複数個が棚板の奥行き方向に配置されていることを特徴とする。
【００１４】
この手段では、個別に昇降調整具を操作することで、昇降板に傾斜を付与して棚板の支持角度を調整することができる。
【００１５】
また、請求項４では、請求項１〜３のいずれかの棚取付装置において、棚受具は棚板の端面に当接する背板に棚板をネジ止めするためのネジ孔が穿孔されていることを特徴とする。
【００１６】
この手段では、棚受具の背板からのネジ止めによって、棚板の奥行き方向への位置ずれを防止することができる。
【００１７】
また、請求項５では、請求項１〜４のいずれかの棚取付装置において、棚受具は壁面に取付けられた取付座に係合構造で取付けられることを特徴とする。
【００１８】
この手段では、棚受具が簡単な係合取付けで取付座に取付けられる。
【発明の効果】
【００１９】
本発明に係る棚取付装置は、昇降調整具によって昇降板を棚板の下面に押圧させることで、棚受具における棚板の挟込み幅の不測の広がりを防止することができるため、棚板の厚さに対応して棚板を安定的に支持することができる効果がある。また、昇降調整具を下板の下方から操作できることから、棚板の取付後に棚受具における棚板の挟込み幅を調整することができるため、棚板の取付後に支持の後調整を行うことができる効果がある。
【発明を実施するための最良の形態】
【００２０】
以下、本発明に係る棚取付装置を実施するための最良の形態を図面に基づいて説明する。
【００２１】
この形態では、棚受具１が取付座４を介して壁面Ｗに間接的に取付けられるものを示してある。
【００２２】
この形態は、棚受具１に昇降板２、昇降調整具３が備えられている。
【００２３】
棚受具１は、図１、図３に示すように、棚板Ｐの基端部を挟込むコ字形の長尺枠体に形成され、棚板Ｐの上面に当接する上板１１と、棚板Ｐの下面に当接する下板１２と、棚板Ｐの端面に当接する背板１３と、上板１１から延長された格好の係合板１４とが設けられている。上板１１は、先端部に棚板Ｐの上面に線状に当接する突条１１ａが設けられるとともに突条１１ａに続く下面の背板１３側に凹部１１ｂが設けられ、背板１３を支点として全体的に弾性を有している。下板１２は、上板１１よりも奥行きが長く形成され、先端部の長さ方向（奥行き方向と直交する方向）に昇降板２の昇降を案内する上下方向に深さを有した案内溝１２ａが設けられ、下面の長さ方向に２条の補強リブ１２ｂが設けられ、補強リブ１２ｂの位置の長さ方向の３箇所にネジ付きの貫通孔からなる昇降調整具３の取付孔１２ｃが設けられている。背板１３は、長さ方向の３箇所に棚板Ｐをネジ止めするネジ５が挿通されるネジ孔１３ａが設けられている。係合板１４は、突出端に取付座４に線状に係合構造で係合される係合部１４ａが設けられている。
【００２４】
昇降板２は、棚受具１の下板１２の上面に積層される下板１２とほぼ同一の長尺板形に形成され、先端部に棚受具１の下板１２の先端部付近の全長を覆うように湾曲して下方に延びたカバー部２１が設けられ、下面の先端部付近に棚受具１の下板１２の案内溝１２ａの全長に差込まれる差込板２２が設けられ、上面の長さ方向に微細な山形突起からなる滑止構造２３が２条設けられている。
【００２５】
昇降調整具３は、棚受具１の下板１２の取付孔１２ｃに螺合されるネジ体に形成され、上端部に先絞り形の尖頭３１が設けられ、周面にネジ部３２が刻設され、下端部から角穴３３が堀込まれている。尖頭３１は、棚受具１の下板１２の上面に臨ませられる。角穴３３は、棚受具１の下板１２の下面（補強リブ１２ｂ）に臨ませられる。
【００２６】
取付座４は、後面が壁面Ｗに当接される長尺枠体に形成され、中央部に棚受具１の背板１３の全面が当接される隆起した受座面４１が設けられ、受座面４１の上部の内部側に棚受具１の係合板１４が差込まれて係合部１４ａが係合する係合部４２が設けられ、受座面４１に近接した上下部と上下端付近との全長に上部カバー６、下部カバー７が係合取付けされる取付溝４３、４４が設けられ、上下端付近の長さ方向の４箇所ずつに壁面Ｗにネジ止めするためのネジ８が挿通されるネジ孔４５が設けられている。上部カバー６、下部カバー７は、取付座４の凹凸を隠して装飾性を高めるものである。なお、取付座４の両側端部には、図１１、図１２に示すように、取付座４の凹凸を隠して装飾性を高める側部カバー９が側方から嵌合取付けされる。従って、取付座４は、棚受具１よりも側部カバー９の幅分長く形成されている。
【００２７】
この形態の棚板Ｐの取付工事では、図２に示すように、取付座４をネジ８で壁面Ｗに取付けておく。
【００２８】
そして、図３に示すように、棚受具１の下面１２に昇降板２を積層させ、棚受具１の下面１２の案内溝１２ａに昇降板２の差込板２２を差込む。また、棚受具１の下面１２の取付孔１２ｃに昇降調整具３を螺合取付けする。
【００２９】
この後、図４に示すように、棚受具１の上面１１、下面１２（昇降板２）の間に棚板Ｐを差込んで背板１３に突当てる。続いて、図５に示すように、昇降調整具３を角ドライバ等で回動して尖頭３１で昇降板２を押し、昇動した昇降板２で棚板Ｐを棚受具１の上面１１に押圧する。この結果、棚板Ｐの基端部が棚受具１に挟込み保持される。なお、棚受具１の下面１２の補強リブ１２ｂは、棚板Ｐの押圧の反力に対抗して下面１２の変形を阻止する。また、昇降板２の滑止構造２３は、棚受具１の上面１１の弾性とともに押圧される棚板Ｐのスリップを防止する。また、昇降板２のカバー部２１は、昇動した昇降板２と棚受具１の下面１２との間に形成される隙間を隠して装飾性を高める。
【００３０】
続いて、図６に示すように、ネジ５で棚板Ｐを棚受具１の背板１３にネジ止めする。このネジ止めは、棚板Ｐの奥行き方向への位置ずれを確実に防止する。
【００３１】
続いて、図７、図８に示すように、棚受具１を壁面Ｗに既に取付けられている取付座４に係合取付けする。この係合取付けについては、ワンタッチで簡単に行うことができる。また、取付けられた棚受具１は、係合板１４の係合部１４ａと取付座４の係合部４２との係合に加えて、背板１３と取付座４の受座面４１との当接によって、取付座４に確実に取付保持される。
【００３２】
続いて、図９〜図１１に示すように、取付座４に上部カバー６、下部カバー７、側部カバー９を係合取付け、嵌合取付けする。
【００３３】
図１２に示すように、棚板Ｐの取付工事が完了した状態では、障害物がなく開放されている昇降調整具３を回動させて、昇降板２を昇降させて棚板Ｐの支持をがた付きのないように安定化させることができる。即ち、棚板Ｐの取付後に支持の後調整を行うことができる。このとき、奥行き方向の２列の昇降調整具３の回動量を異ならせて、棚板Ｐの支持角度を調整することもできる。
【００３４】
以上、図示した各例の外に、１個の取付座４に複数個の棚板Ｐ、棚受具１を取付けることも可能である。
【００３５】
さらに、棚受具１を壁面Ｗに直接取付けるように構成することも可能である。
【図面の簡単な説明】
【００３６】
【図１】本発明に係る棚取付装置を実施するための最良の形態の断面図である。
【図２】図１の取付工事例を示す要部の斜視図である。
【図３】図２に続く工事工程を示す要部の斜視図である。
【図４】図３に続く工事工程を示す要部の斜視図である。
【図５】図４に続く工事工程を示す要部の斜視図である。
【図６】図５に続く工事工程を示す要部の斜視図である。
【図７】図６に続く工事工程を示す要部の斜視図である。
【図８】図７に続く工事工程を示す要部の斜視図である。
【図９】図８に続く工事工程を示す要部の斜視図である。
【図１０】図９に続く工事工程を示す要部の斜視図である。
【図１１】図１０に続く工事工程を示す要部の斜視図である。
【図１２】図１の斜視図である。
【符号の説明】
【００３７】
１    棚受具
１１  上板
１２  下板
１３  背板
２    昇降板
３    昇降調整具
Ｐ    棚板
Ｗ    壁面
【図１】
2006326060.tif 000003
【図２】
2006326060.tif 000004
【図３】
2006326060.tif 000005
【図４】
2006326060.tif 000006
【図５】
2006326060.tif 000007
【図６】
2006326060.tif 000008
【図７】
2006326060.tif 000009
【図８】
2006326060.tif 000010
【図９】
2006326060.tif 000011
【図１０】
2006326060.tif 000012
【図１１】
2006326060.tif 000013
【図１２】
2006326060.tif 000014